(57)【特許請求の範囲】
【請求項１】
透明な外皮を有する偏平な本体部と、この本体部内で、本体部を厚さ方向に貫通する回動軸の回りを回動自在に支承されると共に、回動軸方向に移動可能に案内された制御盤と、この制御盤の前面にその回動軸に沿って一体的に突設され、本体部を貫通して外部に突出する連結軸と、制御盤の前面に一定の展開パターンで形成された複数個の盲穴と、選択された盲穴に収納された少なくとも１個の磁石タンブラー及びタンブラーばねと、制御盤の所定の角度位置において、制御盤の盲穴と整合する本体部の外皮に開口した盲穴と同数の保持穴と、この保持穴が開口した本体部の前面部を被覆する透明な蓋板と、制御盤の連結軸の先端部と嵌合する凹陥部を形成し、この凹陥部を制御盤の連結軸と嵌合させたとき、制御盤の磁石タンブラーと同磁極で整合する鍵磁石を埋設すると共に、この鍵磁石と蓋板との間に所定の間隙を保つように凹陥部の深さを設定した磁石鍵と、この磁石鍵の凹陥部及び制御盤の連結軸の間に設けられ、磁石鍵と連結軸との相対回動を拘束する第１拘束手段と、制御盤の所定の角度位置においてのみその後方への移動を許容し、その他の角度位置では制御盤の回動軸方向の移動を拘束する第２拘束手段と、制御盤の外周縁において一定の角度にわたって半径方向に突設され、横断面形状が鈎形の円弧状の外周を有する爪板と、全体の形状が略？字形で、その？字の下端に爪板の外周と係合する溝部を形成し、下端部が本体部の外周部を貫通して制御盤の回動軸に垂直な方向に移動可能に案内されると共に、制御盤から離間する方向の外方に付勢されたシャックルとを有し、磁石鍵の凹陥部を制御盤の連結軸と嵌合させたとき、鍵磁石と磁石タンブラーとの相互の磁気反発力によって磁石タンブラーが本体部の保持穴との係合を解き、制御盤の所定の角度位置にまでの回動を許容し、この角度位置で磁石鍵を押動することにより制御盤の爪板とシャックルとの係合を解くようにしたことを特徴とする南京錠。
【発明の詳細な説明】
【０００１】
【発明の属する技術分野】
この発明は、南京錠に係り、特に、外皮が透明で内部の構造や錠前の作動原理が良く判り、しかも洒落た感じの所謂ファッション性に優れた南京錠に関する。
【０００２】
【従来の技術】
南京錠は、例えばかんぬき等の錠止装置として従来から使用されているもので、概ね矩形の本体部と逆Ｕ字形のシャックルとを有し、シャックルの先端を本体部に差込んだ施錠状態、及びシャックルの先端が本体部から離脱して自由になった解錠状態を本体部に内蔵された錠前により制御するものである。
【０００３】
【発明が解決しようとする課題】
錠前としての南京錠は、長年にわたって実用され、既になされるべき技術的な改良が積み重ねられているので、現在のところ緊急に改良すべき技術的な問題点は無い。
【０００４】
この発明は、軽量で所謂ファッション性に優れ、洒落たアクセサリーとして持ち運ぶことができる新規な南京錠を提供する事を目的としている。
【０００５】
【課題を解決するための手段】
上記の目的を達成するため、この発明は、透明な外皮を有する偏平な本体部と、この本体部内で、本体部を厚さ方向に貫通する回動軸の回りを回動自在に支承されると共に、回動軸方向に移動可能に案内された制御盤と、この制御盤の前面にその回動軸に沿って一体的に突設され、本体部を貫通して外部に突出する連結軸と、制御盤の前面に一定の展開パターンで形成された複数個の盲穴と、選択された盲穴に収納された少なくとも１個の磁石タンブラー及びタンブラーばねと、制御盤の所定の角度位置において、制御盤の盲穴と整合する本体部の外皮に開口した盲穴と同数の保持穴と、この保持穴が開口した本体部の前面部を被覆する透明な蓋板と、制御盤の連結軸の先端部と嵌合する凹陥部を形成し、この凹陥部を制御盤の連結軸と嵌合させたとき、制御盤の磁石タンブラーと同磁極で整合する鍵磁石を埋設すると共に、この鍵磁石と蓋板との間に所定の間隙を保つように凹陥部の深さを設定した磁石鍵と、この磁石鍵の凹陥部及び制御盤の連結軸の間に設けられ、磁石鍵と連結軸との相対回動を拘束する第１拘束手段と、制御盤の所定の角度位置においてのみその後方への移動を許容し、その他の角度位置では制御盤の回動軸方向の移動を拘束する第２拘束手段と、制御盤の外周縁において一定の角度にわたって半径方向に突設され、横断面形状が鈎形の円弧状の外周を有する爪板と、全体の形状が略？字形で、その？字の下端に爪板の外周と係合する溝部を形成し、下端部が本体部の外周部を貫通して制御盤の回動軸に垂直な方向に移動可能に案内されると共に、制御盤から離間する方向の外方に付勢されたシャックルとを有し、磁石鍵の凹陥部を制御盤の連結軸と嵌合させたとき、鍵磁石と磁石タンブラーとの相互の磁気反発力によって磁石タンブラーが本体部の保持穴との係合を解き、制御盤の所定の角度位置にまでの回動を許容し、この角度位置で磁石鍵を押動することにより制御盤の爪板とシャックルとの係合を解くようにしたことを特徴とする。
【０００６】
【発明の実施の形態】
以下、図面に示す実施例に基づいて、この発明について説明する。
図１図２及び図４において符号１はこの発明による南京錠の外皮を示し、この外皮１は、全体の形状が例えばハート形をした偏平な中空体である。
【０００７】
この外皮１は、透明な、例えば合成樹脂製の前ケース２及び後ケース３を、内部に構成部材を収納した後接着或いは溶着により一体に結合したものである。
【０００８】
図示の実施例では、図２に示すように、後ケース３の外面に所謂プリクラ（プリントクラブ）シールを貼るための浅い矩形の凹部が形成されている。
【０００９】
この外皮１の内側のやや下方には、厚い円板状の制御盤４が配設されており、この制御盤４の前面には中空の筒状の連結軸５が同軸かつ一体に結合されており、この連結軸５の前端面には後述する矢印形の凹部１７が形成されている。
【００１０】
この矢印は、制御盤４の施錠角度位置及び解錠角度位置を示す指標となるもので、図１に示すように、この矢印の先端が前ケース２の前面に標記されたＯＫ印を指し示しているときには制御盤４が解錠角度位置にあることを示し、ＯＫ印から４５度半時計方向に離れているＮＧ印（ｎｏ  ｇｏｏｄの略記）を指し示しているときには、制御盤４が施錠角度位置にあることを示すものとする。
【００１１】
なお、このＯＫ、ＮＧという表示により、この南京錠を一種のメッセージ伝達装置として使用することができる。
【００１２】
また、上記連結軸５は、前ケース２を貫通して外部に突出すると共に、前ケース２に開口した付番しない連結軸穴と回動可能に嵌合しており、その結果、制御盤４は本体部の内部においてこれを厚さ方向に貫通する回動軸６（図４参照）の回りを回動自在に支承されている。
【００１３】
更にまた、図４に示すように、制御盤４の後側は軽量化を計るため断面凸字形にくりぬかれており、このくりぬかれた後側の凹陥部と後ケース３との間に弾装された圧縮コイルばねとしてのプッシュばね７の弾力により、制御盤４は前方（図４で左方）に付勢されている。
【００１４】
また、図４に示すように、制御盤４の背面（図４で右側の面）と、後ケース３の内面に突設されたプッシュばね７の案内部との間に間隙が保たれているので、制御盤４は一定距離後方への移動が可能である。
【００１５】
一方、制御盤４の前面で上記連結軸５の周囲には、一定の展開パターンで複数個の盲穴８、８が形成されている。
【００１６】
図示の実施例では、回動軸６（図４参照）を中心とする一つの円上に等角度間隔で４個の盲穴８、８が開口を前方に向けて形成されている。
【００１７】
これら４個の盲穴８、８の内選択された少なくとも１個の盲穴には、図４に示すように、圧縮コイルばねとしてのタンブラーばね９と、前後方向（図４で左右方向）に着磁された磁石タンブラー１１の組が収納されている。
【００１８】
他方、上記した制御盤の盲穴８、８に対応して、制御盤４が所定の角度位置、図示の実施例では連結軸５の矢印の先端がＮＧ印を指し示す角度位置、にあるとき制御盤の盲穴８、８と整合する前ケース２の部分には、これらの盲穴と同数で同景の保持穴（図１及び図４参照）１２、１２が開口している。
【００１９】
図１においては、制御盤４の盲穴８或いは磁石タンブラー１１と保持穴１２とが４５度の角度間隔をおいて交互に示されている。
【００２０】
そして、盲穴８及び保持穴１２とに跨がって収納された磁石タンブラー（図４参照）１１がタンブラーばね９の弾力によって前方に抜け出すことを防止するため、図１及び図４に示すように、前ケース２の保持穴開口部を覆う環状の透明な蓋板１０が接着或いは嵌め込み等の結合手段により装着されている。
【００２１】
一方、上記のようにして本体部内に組込まれた磁石タンブラー錠の合鍵としての磁石鍵１３は図５に示すように構成されている。
【００２２】
すなわち、磁石鍵１３は透明な合成樹脂製の厚板リング状の本体部１４にこれもリング状の摘み１５を一体に結合した形状で、その前面には制御盤４の連結軸５の先端部と嵌合する凹陥部１６が形成されている。
【００２３】
この凹陥部１６の底面には、前記連結軸の前端面に形成された矢印形の凹部１７と填り合う凸部１８が形成されている。
【００２４】
そして、この凸部１８と連結軸の凹部１７とが填り合う相対角度位置で凹陥部１６に連結軸５の先端部を嵌合させたとき、制御盤の磁石タンブラー１１と整合する磁石鍵の本体部１４に、各磁石タンブラー１１と同磁極で対峙する鍵磁石１９を埋設してカバー板２１で覆う。
【００２５】
なお、連結軸５の先端部と磁石鍵１３の凹陥部１６とが嵌合し、矢印形の凹部１７と凸部１８とが填り合ったとき、磁石鍵のカバー板２１と前ケースの蓋板１０との間に所定の間隙が形成されるように凹陥部１６の深さを設定する。
【００２６】
この所定の間隙は、後述するように、制御盤に係止されたシャックルを制御盤から解放する作動に用いる。
【００２７】
なお、連結軸の前端面の矢印形の凹部１７及び磁石鍵の凹陥部の底面の矢印形の凸部１８は、連結軸５及び磁石鍵１３の相対回動を拘束する第１拘束手段を構成する。
【００２８】
この第１拘束手段は、連結軸４の前端面に形成した矢印形の凸部（図示せず）と、磁石鍵の凹陥部１６の底面に形成した同形の凹部で構成してもよい。
【００２９】
或いは、連結軸の前端部を断面異形とし（例えば六角軸）、凹陥部１６を同形の異形としてこれらの形状係合により回り止めを施してもよい。
【００３０】
一方、図３及び図４に示すように、本体部内には第２拘束手段２２が設けられており、この第２拘束手段２２は、磁石タンブラー錠の解錠角度位置においてのみ制御盤４の後方への移動を許容し、その他の角度位置では制御盤の回動軸方向への移動を拘束するものである。
【００３１】
具体的には、制御盤の外周円の少なくとも１ヵ所（図３では２ヵ所）に係止突起２３が半径方向に突設されており、これに対応して、この係止突起２３の後側にその移動軌跡に沿って円弧状の環堤部２４が形成されている。
【００３２】
そして、図３に示すように、制御盤４が解錠角度位置にあるとき係止突起と整合する環堤部２４の部分は切り欠かれ、この角度位置では制御盤４が後方に移動できるようになっている。
【００３３】
なお、第２拘束手段２２の構成は上記のものに限定されることなく、種々に変形して実施することが可能で、例えば、後ケース３の内面に突設された係止ピン（図示せず）と、制御盤４の背面に開口し、制御盤が解錠角度位置にあるときこの係止ピンと整合する開口とで第２拘束手段を構成することが可能である。
【００３４】
他方、制御盤４の所定の角度位置における外周縁には、一定の角度範囲にわたって爪板２５が半径方向に突設されている。
【００３５】
この爪板２５の外周は横断面形状が鈎形に形成されており、この鈎は後述のシャックルの下端に形成された溝に後方から係合している。
【００３６】
一方、図１乃至図４に示すように、本体部の図面における上方には全体の形状が略？形で、例えば亜鉛ダイキャスト製のシャックル２６が、その下端部の直線部に本体部を貫通させるようにして、上下方向に移動可能に案内されている。
【００３７】
このシャックル２６は、図３及び図４に示すように、下端直線部の中間に形成された鍔部２７と案内ケース２８の底部との間に弾装された圧縮コイルばねとしてのシャックルばね２９の弾力により、上方に、換言すれば制御盤４から離間する方向に付勢されている。
【００３８】
また、図３及び図４に示すように、シャックル２６の下端には溝部３１が形成されており、常態においてはこの溝部３１は上記爪板２５の外周縁に前方から係合し、図示の施錠位置を保っている。
【００３９】
なお、図示の実施例では、図３に示すように、施錠位置にあるシャックル２６との干渉を避けるために本体部の外面に形成された逃げ溝３２、及びシャックルの先端を固定するため逃げ溝３２中に開口させた係止孔３３は、本体部の正中線に関して左右対称に形成されているので、シャックル２６の先端を左にしても右にしても、正面を表にしての施錠が可能である。
【００４０】
また、図３に示すように、制御盤４の外周縁の所定の角度位置に、４５度の角度間隔を保って一対のクリック溝３４、３４が形成されており、これらのクリック溝に対応して、本体部内にはクリックボール３５、及びこのクリックボール３５を制御盤４方向に弾圧するクリックばね３６が配設されている。
【００４１】
この公知のクリック装置により、磁石鍵１３を介して制御盤４を回動させるとき施錠位置及び解錠位置においてクリック感が得られるが、このクリック装置はこの発明の成立に不可欠の構成要素ではない。
【００４２】
上記のように構成されたこの発明による南京錠は、制御盤の連結軸５を手指で摘んで、図１及び図３に示す角度位置から反時計方向に４５度回動させる。
【００４３】
すると、図４に示すように、磁石タンブラー１１が前ケースの保持穴１２に係入するので、磁石タンブラー１１を介して制御盤４が外皮の前ケース２に係止され、この南京錠は施錠状態となる。
【００４４】
なお、図示の実施例では、上記したように、手指で制御盤を回動させて施錠するものとしたが、制御盤４が解錠角度位置にあるとき（図１及び図３参照）盲穴８と整合する前ケース２の内面に内側に開口する同径の盲穴（図示せず）を形成しておけば、施錠するときにも磁石鍵を要するタイプの南京錠とすることができる。
【００４５】
解錠するときには、磁石鍵１３の凹陥部１６を制御盤の連結軸５に被嵌し、矢印形の凹部１７と凸部１８とを填め合わせる。
【００４６】
すると、制御盤４の磁石タンブラー１１と磁石鍵の鍵磁石１９とが同磁極で対峙する結果、磁石タンブラー１１はタンブラーばね９の弾力に抗して図４で右方に移動し、前ケース２の保持穴１２から抜け出る。
【００４７】
すると制御盤４は回動可能になるから、その儘磁石鍵１３を時計方向に４５度回して矢印をＯＫに合せる。
【００４８】
このとき、図３に示すように、制御盤の係止突起２３が環堤部２４の切欠に整合しているから、磁石鍵１３をその儘凹如何することにより制御盤４は図４で右方に移動し、爪板２５とシャックル２６との係合が解ける。
【００４９】
するとシャックル２６は、シャックルばね２９の弾力によって図１に鎖線で示すように飛出し、この南京錠は解錠される。
【００５０】
なお、シャックル２６の先端を外皮の係止孔３３（図３参照）に合わせて押込むと、シャックル２６の下端と爪板２の外周との間に生じる楔作用により制御盤４は図４で右方に移動し、シャックルの溝部３１と爪板２５の外周縁に形成された鍵部の先端とが整合すると、プッシュばね７の弾力により爪板２５とシャックル２６とは自動的に係合して、この南京錠は施錠される。
【００５１】
【発明の効果】
以上の説明から明らかなように、この発明は、外皮を透明な材料で構成したから、磁石タンブラー錠の作動、及びシャックルと制御盤の係脱等南京錠の作動を見ることができ、南京錠を洒落た感じのアクセサリーにすることができる。
【００５２】
また、蓋板を外した状態で磁石タンブラー及びタンブラーばねを出し入れすることができるので、磁石タンブラーを収納する盲穴の選択、及び磁石タンブラーの磁束の方向をこの南京錠の購入者に選択させて、錠前の構造に関心を向けさせることができる、等種々の効果を奏する。
【図面の簡単な説明】
【図１】この発明の一実施例による南京錠の正面図。
【図２】その背面図。
【図３】前ケースを取り外した状態における南京錠の正面図。
【図４】南京錠の断面図。
【図５】磁石鍵を示す図で、（Ａ）はその一部断面側面図、（Ｂ）は正面図である。
【符号の説明】
１  外皮
２  前ケース
３  後ケース
４  制御盤
５  連結軸
６  回動軸
８  盲穴
９  タンブラーばね
１０  蓋板
１１  磁石タンブラー
１２  保持穴
１３磁石鍵
１９  鍵磁石
２２  第２拘束手段
２３  係止突起
２４  環堤部
２５  爪板
２６  シャックル
３１  溝部
【図１】
0004168096.tif 000002
【図２】
0004168096.tif 000003
【図３】
0004168096.tif 000004
【図４】
0004168096.tif 000005
【図５】
0004168096.tif 000006